(57)【要約】【課題】自動的に弁の開閉が瞬時に行われ、低真空状態にした真空保管袋内に空気が入り込まず、しかも真空保管袋への取り付けを簡単なものにした空気排出口を提供する。【解決手段】空気通路２を形成しており真空保管袋Ｐに取り付けられる胴体１と、前記胴体１の空気通路２を開閉する弁体３よりなる真空保管袋Ｐの空気排出口であり、前記胴体１は真空保管袋Ｐヘの取付けが容易であるよう固定板４を形成した第１胴体１１と、前記弁体３を固定するための固定端５を備える第２胴体１２との結合よりなり、前記空気通路２の中央に押し当部６を備え、前記弁体３には前記押し当部６の中心部に位置するようにした通孔Ｓを形成し、空気排出口の開閉が前記押し当部６と通孔Ｓとの間で行われるようにし、前記胴体１には前記弁体３の通孔Ｓの周囲を押圧するようにした押圧部８を形成した蓋体９を嵌脱自在に取り付けたものとしている。【選択図】        図４
2005029197.tif 000002
【特許請求の範囲】
【請求項１】
空気通路を形成しており真空保管袋に取り付けられる胴体と、前記胴体の空気通路を開閉する弁体よりなる真空保管袋の空気排出口であり、前記胴体は真空保管袋ヘの取付けが容易であるよう固定板を形成した第１胴体と、前記弁体を固定するための固定端を備える第２胴体との結合よりなり、前記空気通路の中央に押し当部を備え、前記弁体には前記押し当部の中心部に位置するようにした通孔を形成し、空気排出口の開閉が前記押し当部と通孔との間で行われるようにし、前記胴体には前記弁体の通孔の周囲を押圧するようにした押圧部を形成した蓋体を嵌脱自在に取り付けたことを特徴とする真空保管袋の空気排出口。
【請求項２】
空気通路を形成しており真空保管袋に取り付けられる胴体と、前記胴体の空気通路を開閉する弁体よりなる真空保管袋の空気排出口であり、前記胴体は真空保管袋ヘの取付けが容易であるよう固定板を形成した第１胴体と、前記弁体を固定するための固定端を備える第２胴体との結合よりなり、前記第１胴体の底面には空気排出口が吸着により閉鎖されることを防ぐための複数の翼部を備え、前記空気通路の中央に前記翼部と一体に押し当部を備え、前記弁体には前記押し当部の中心部に位置するようにした通孔を形成し、空気排出口の開閉が前記押し当部と通孔との間で行われるようにし、前記胴体には前記弁体の通孔の周囲を押圧するようにした押圧部を形成した蓋体を嵌脱自在に取り付けたことを特徴とする真空保管袋の空気排出口。
【請求項３】
真空掃除機の吸入口と接触する前記弁体の上部は弾性材質よりなり、前記真空掃除機の吸入口と密着できるようにしたことを特徴とする請求項１または２に記載の空気排出口。
【請求項４】
弁体の通孔の周囲を押圧するようにした蓋体の押圧部は弾性材質よりなり、前記弁体の通孔の周囲と密着できるようにしたことを特徴とする請求項１または２に記載の空気排出口。
【発明の詳細な説明】
【０００１】
【発明の属する技術分野】
この発明は真空保管袋の空気排出口に関し、より詳しくは空気の排出と遮断を調節する弁体の取り付け構造を改善し、真空保管袋への取り付けを簡単なものにした空気排出口に関する。
【０００２】
【従来の技術】
一般に寝具類、衣類等は保管時に大きい収納空間を占ながら、湿気によって黴が発生し、虫がつくなど保管上の問題点がある。
【０００３】
このような寝具類及び衣類等を安全且つ効率的に保管するためのものが真空保管袋である。真空保管袋は開閉可能な入口部を備え、所定位置に空気を排出するための空気排出口を備え、寝具類や衣類等を前記真空保管袋の入口部を開封して収納したあと入口を閉じ、前記空気排出口に真空掃除機を連結して真空掃除機の吸引力で真空保管袋内部の空気を外に排出させ、寝具類や衣類の嵩を減少させるものである。
【０００４】
図９及び図１０は、それぞれ従来の真空保管袋の空気排出口を示す斜視図と断面図である。
【０００５】
図示されているように、従来の真空保管袋の空気排出口は、真空保管袋Ｐの取付孔Ｐａにこの真空保管袋Ｐの内部から差し込まれるソケット２１、ソケット２１のフランジ部２１ａを真空保管袋Ｐの外部から覆うカバー２２、ソケット２１の円筒部２１ｂの内周に捩じ込まれるキャップ２３よりなる。前記ソケット２１のフランジ部２１ａの下方には、放射状に配列した空気案内体２４を設け、さらにソケット２１の円筒部２１ｂの略中央には、空気排出孔２５を設けると共に、この空気排出孔２５の周囲に弁座２１ｃを設けている。前記キャップ２３には、差込溝２６および貫通孔２７を設けると共に、キャップ２３の凹部２３ａの周端に前記弁座２１ｃに当接するＯリング２８を装着したものとしている（特許文献１参照）。
【０００６】
このように構成した従来の真空保管袋の空気排出口は、図１１に示したように、ソケット２１へのキャップ２３の捩じ込みを緩め、弁座２１ｃとＯリング２８の間に隙間Ｓａを生じさせる。この状態で、キャップ２３の差込溝２６に真空掃除機の吸入口Ｈを差し込み、真空掃除機を作動させて真空保管袋Ｐ内に存在する空気を排出する。そして、真空保管袋Ｐ内が低真空状態になったとき、吸入口Ｈをキャップ２３の差込溝２６から抜き取り、キャップ２３をソケット２１に捩じ込むと、弁座２１ｃのＯリング２８が着座し、両者間の隙間Ｓａは閉鎖され、真空保管袋Ｐ内は低真空状態に保たれることになる。
【０００７】
【特許文献１】
実公平７−１２３０８号公報（第２ページ、第１、２、５図）
【０００８】
【発明が解決しようとする課題】
上記従来の真空保管袋の空気排出口は、Ｏリング２８を使用しているため、このＯリング２８が反り返ることなく、Ｏリング２８による密閉は完全なものとなり、空気漏れが生ずる虞れのないものとなるが、弁座２１ｃとＯリング２８の間に隙間Ｓａを生じさせたり、この隙間Ｓａを閉鎖するのに、ソケット２１にキャップ２３を捩じ込んだり、緩めたりしなければならないので、この捩じ込んだり、緩めたりする操作が非常に面倒であるという問題点を有していた。
【０００９】
さらに、従来の真空保管袋の空気排出口は、ソケット２１にキャップ２３を捩じ込む作業を素早く行わないと、真空保管袋Ｐ内に空気が入り込んでしまい、低真空状態が損なわれるという問題点を有していた。
【００１０】
また、従来の真空保管袋の空気排出口は、弁座２１ｃとＯリング２８の間の隙間Ｓａを閉鎖するのにソケット２１にキャップ２３を捩じ込むが、このキャップ２３の捩じ込みが自然に又は物が触れたりするなどして何時の間にか緩んでしまって、低真空状態にした真空保管袋内に空気が入り込んでしまうという問題点を有していた。
【００１１】
そこで、この発明は、上記従来の問題点を解決することをその課題としており、キャップを捩じ込んだり、緩めたりしないでも、自動的に弁の開閉が瞬時に行われ、自然に又は物が触れたりするなどしても弁が開くことなく、低真空状態にした真空保管袋内に空気が入り込まず、しかも真空保管袋への取り付けを簡単なものにした空気排出口を提供することを目的としてなされたものである。
【００１２】
【課題を解決するための手段】
この発明に係る空気排出口は、空気通路２を形成しており真空保管袋Ｐに取り付けられる胴体１と、前記胴体１の空気通路２を開閉する弁体３よりなる真空保管袋Ｐの空気排出口であり、前記胴体１は真空保管袋Ｐヘの取付けが容易であるよう固定板４を形成した第１胴体１１と、前記弁体３を固定するための固定端１０を備える第２胴体１２との結合よりなり、前記空気通路２の中央に押し当部６を備え、前記弁体３には前記押し当部６の中心部に位置するようにした通孔Ｓを形成し、空気排出口の開閉が前記押し当部６と通孔Ｓとの間で行われるようにし、前記胴体１には前記弁体３の通孔Ｓの周囲を押圧するようにした押圧部８を形成した蓋体９を嵌脱自在に取り付けたものとしている。
【００１３】
さらに、この発明に係る空気排出口は、空気通路２を形成しており真空保管袋Ｐに取り付けられる胴体１と、前記胴体１の空気通路２を開閉する弁体３よりなる真空保管袋Ｐの空気排出口であり、前記胴体１は真空保管袋Ｐヘの取付けが容易であるよう固定板４を形成した第１胴体１１と、前記弁体３を固定するための固定端１０を備える第２胴体１２との結合よりなり、前記第１胴体１１の底面には空気排出口が吸着により閉鎖されることを防ぐための複数の翼部７を備え、前記空気通路２の中央に前記翼部７と一体に押し当部６を備え、前記弁体３には前記押し当部６の中心部に位置するようにした通孔Ｓを形成し、空気排出口の開閉が前記押し当部６と通孔Ｓとの間で行われるようにし、前記胴体１には前記弁体３の通孔Ｓの周囲を押圧するようにした押圧部８を形成した蓋体９を嵌脱自在に取り付けたものとしている。
【００１４】
前記弁体３は、真空掃除機の吸入口Ｈと接触する上部が弾性材質よりなり、前記真空掃除機の吸入口Ｈと密着できるようにするのが好ましい。
【００１５】
前記弁体３の通孔Ｓの周囲を押圧するようにした蓋体９の押圧部８は弾性材質よりなり、前記弁体３の通孔Ｓの周囲と密着できるようにするのが好ましい。
【００１６】
【発明の実施の形態】
以下、この発明の好ましい実施の形態を図面等に基づき詳しく説明する。
図１は、この発明の空気排出口の斜視図である。図２は、この発明の空気排出口の底面図である。図３は、この発明の空気排出口の分解斜視図である。
【００１７】
図示されているように、この発明に係る真空保管袋の空気排出口は空気通路を形成している胴体１と、前記胴体１に形成された空気通路２を開閉するよう弾性材質からなる弁体３より構成され、前記胴体１はその外周に所定面積を有する円板型の固定板４を備え、前記固定板４を真空保管袋Ｐの所定部位に密着して空気排出口を固定するようにする。さらに、前記胴体１はその内周に弁体３を固定するための固定端５を備えている。
【００１８】
この発明の空気排出口の空気通路２の中心部には押し当部６を備え、前記空気通路２がドーナツ形をかたどることになり、これに伴い空気通路２を開閉するための弁体３の開閉片３ａも前記押し当部６の中心部に位置するようにした通孔Ｓを形成してる。このような開閉片３ａの動作は、図５、６を参照して後述する。なお、前記押し当部６は、平坦状としているが、全体的にまたは中心部が盛り上がったり、窪んだ形状としてもよい。
【００１９】
図２は、この発明の空気排出口の底面を示しているが、底面には前述した空気通路２が真空保管袋Ｐ内部に保管された内容物により詰まるのを防ぐため、下方に形成されている翼部７を備えている。前記翼部７は、空気排出口の中心から放射状に形成されており、その中心部分が押し当部６と一体に形成されている。
【００２０】
図４は、翼部を通過しないＡ−Ａ線に沿った断面図である。
【００２１】
空気排出口の胴体１は、真空保管袋Ｐに取り付けられる固定板４と、空気通路２の閉鎖を防ぐ放射線状の翼部７、及びこれと一体に形成された押し当部６を備える第１胴体１１と、弁体３と結合するための固定端１０を形成している第２胴体１２との結合で構成されている。第１胴体１１と第２胴体１２を結合させるには、第１胴体１１の内周に形成した内周溝１１ａに第２胴体１２の外周に形成した外周リブ１２ａを嵌合させることにより行われる。そして、第２胴体１２には、前記弁体３の通孔Ｓの周囲を押圧するようにした押圧部８を形成した弾性材質からなる蓋体９を嵌脱自在に取り付けている。前記押圧部８は、蓋体９の内面中央部から下方に向けて設けた略円柱体としており、弁体３の通孔Ｓの周囲と密着できるように前記蓋体９と一体とした弾性材質からなるものとするのが好ましい。蓋体９を第２胴体１２に嵌脱自在に取り付けるには、蓋体９の内周に形成した内周溝９ａに第２胴体１２の外周に形成した外周リブ１２ｂを嵌合させることにより行われる。なお、蓋体９の外周には、嵌脱時に指などを引っ掛けて操作するための突起部９ｂを設けたものとしている。
【００２２】
弾性材質からなる弁体３は円筒状の胴体３ｂと、前記胴体３ｂの内側に引き出されて形成され中央には押し当部６の中心部に位置するようにした通孔Ｓを備えている開閉片３ａ、前記胴体３ｂの下面に外側に引き出されて形成された下板３ｃで構成される。このような弁体３の固定は、胴体３ｂの外周面で形成されている前記下板３ｃが第１胴体１１の固定端５と第２胴体１２の固定端１０の間に挟まれることにより行われる。すなわち、弁体３を第１胴体１１と第２胴体１２の間に介在させて、第１胴体１１と第２胴体１２を結合させれば、弁体３が第１胴体１１と第２胴体１２の間に簡単に固定されることになる。したがって、この発明に係る空気排出口の構成部材である第１胴体１１、第２胴体１２及び弁体３の組み立てが簡単に行われ、空気排出口を真空保管袋Ｐへ簡単に取り付けることができるものとなる。
【００２３】
点線で示した図５の図面符号３ｄは、開閉片３ａが開放された状態を示している。図示されているように、開閉片３ａの開放は真空掃除機の吸入口Ｈ側に開閉片３ａの通孔部位が吸い上げられることにより行われることになるが、このような開放の形態により通孔Ｓ周囲の開閉片部材等が全て変形することになり、これにより優れた復元力を持つことになる。さらに、この発明は開閉片３ａの開放が空気通路２の中心部分で行われるようにすることにより、吸引時の空気抵抗も減少することになる。
【００２４】
以上のように構成されたこの発明に係る真空保管袋の空気排出口は、真空保管袋Ｐに寝具類、衣類等を収納し、この真空保管袋Ｐ内に存在する空気を排出する場合には、次のようにして行う。
【００２５】
先ず、胴体１の第２胴体１２に嵌脱自在に取り付けた蓋体９を外し、図５、７に示したように、真空掃除機の吸入口Ｈを第２胴体１２の固定端１０に押し当て、真空掃除機を作動させる。すると、真空掃除機の吸引力により、弁体３の開閉片３ａは真空掃除機の吸入口Ｈ側にその通孔Ｓ部位が吸い上げられることにより開放され、真空保管袋Ｐ内に存在する空気が真空掃除機により吸引され、真空保管袋Ｐの空気排出口から徐々に排出される。
【００２６】
そして、真空保管袋Ｐ内が低真空状態になったとき、真空掃除機の吸入口Ｈを第２胴体１２の固定端５から外す。すると、図６に示したように、弁体３の開閉片３ａは元に戻り、開閉片３ａの通孔Ｓの周囲が押し当部６に接触し、真空保管袋Ｐ内の低真空状態により前記通孔Ｓの周囲が押し当部６に密着し、弁体３の通孔Ｓは自動的に閉鎖される。
【００２７】
そこで、図４、７に示したように、前記蓋体９を再び胴体１の第２胴体１２に被せ、この蓋体９の押圧部８を弁体３の通孔Ｓの周囲に押し当て、通孔Ｓの周囲を押圧すればよい。このようにすれば、真空保管袋Ｐ内の低真空状態により前記押し当部６に密着した通孔Ｓの周囲はその密着した状態が維持されるものとなる。また、前記蓋体９を胴体１の第２胴体１２に被せることにより、この蓋体９に物が触れても、弁体３には物が触れることはないものとなる。
【００２８】
【発明の効果】
この発明に係る真空保管袋の空気排出口は、以上に述べたように構成されているので、キャップを捩じ込んだり、緩めたりしないでも、自動的に弁の開閉が瞬時に行われ、自然に又は物が触れたりするなどしても弁が開くことなく、低真空状態にした真空保管袋内に空気が入り込まず、しかも真空保管袋への取り付けが簡単なものとなる。
【００２９】
さらに、この発明に係る真空保管袋の空気排出口は、弁体が中央の通孔を形成しており、前記通孔が拡大されながら上部に湾曲すると共に弁体の開放が行われることになるので、開放時に前記通孔の周辺部は通孔拡大による変形と上部に湾曲する変形を全て受けることになるので強力な復元力を有することになり、真空掃除機の吸入口が除去されると速やかに原形に復元され密閉力も向上するという効果がある。
【図面の簡単な説明】
【図１】この発明に係る空気排出口の斜視図である。
【図２】この発明に係る空気排出口の底面図である。
【図３】この発明に係る空気排出口の分解斜視図である。
【図４】この発明に係る空気排出口の図２のＡ−Ａ線に沿う断面図である。
【図５】この発明に係る空気排出口の蓋体を外した状態の図２のＡ−Ａ線に沿う断面図である。
【図６】この発明に係る空気排出口の蓋体を外した状態の図２のＢ−Ｂ線に沿う断面図である。
【図７】この発明に係る空気排出口に真空掃除機の吸入口を押し当てた状態を示す斜視図である。
【図８】この発明に係る空気排出口の使用状態を示す斜視図である。
【図９】従来の空気排出口を示す斜視図である。
【図１０】従来の空気排出口の断面図である。
【図１１】従来の空気排出口の弁座とＯリングの間に隙間を生じさせた状態の断面図である。
【符号の説明】
１  胴体
２  空気通路
３  弁体
４  固定板
５  固定端
６  押し当部
７  翼部
８  押圧部
９  蓋体
１１  第１胴体
１２  第２胴体
Ｐ  真空保管袋
Ｓ  通孔
Ｈ  吸入口
【図１】
2005029197.tif 000003
【図２】
2005029197.tif 000004
【図３】
2005029197.tif 000005
【図４】
2005029197.tif 000006
【図５】
2005029197.tif 000007
【図６】
2005029197.tif 000008
【図７】
2005029197.tif 000009
【図８】
2005029197.tif 000010
【図９】
2005029197.tif 000011
【図１０】
2005029197.tif 000012
【図１１】
2005029197.tif 000013